(57)【要約】【課題】  不慣れな術者にも簡単にセットでき、患者の個体差の影響を受けにくくしてより多くの患者に適合でき、かつ、眼球を傷つける可能性の少ない眼内観察用レンズ装置及び眼内観察用レンズ保持装置を提供する。【解決手段】  眼内を観察するためのレンズ又はこのレンズを保持するレンズ保持装置に、その一部を上眼瞼及び下眼瞼に当接させて前記レンズ又はレンズ保持装置を眼球上に配置させる脚部を設けたことを特徴とする。【選択図】  図１
2008086508.tif 000002
【特許請求の範囲】
【請求項１】
眼科手術の際に眼内を観察するために用いられる眼内観察用レンズ装置であって、
眼内を観察するためのレンズと、
前記レンズを眼球上に保持するためのレンズ保持部とを有し、
前記レンズ保持部は、前記レンズを眼球上で支えて支持するレンズ支持部と、このレンズ支持部に取り付けられた脚部であってその一部を上眼瞼及び下眼瞼に当接させて前記レンズ支持部を眼球上に配置させる脚部とを有することを特徴とする眼内観察用レンズ装置。
【請求項２】
前記レンズとレンズ保持部とが一体に形成されていることを特徴とする請求項１に記載の眼内観察用レンズ装置。
【請求項３】
眼科手術の際に眼内を観察するために用いられる眼内観察用レンズを眼球上に保持するための眼内観察用レンズ保持装置であって、
前記レンズを眼球上で支えて支持するレンズ支持部と、このレンズ支持部に取り付けられた脚部であってその一部を上眼瞼及び下眼瞼に当接させて前記レンズ支持部を眼球上に配置させる脚部とを有することを特徴とする眼内観察用レンズ保持装置。
【請求項４】
前記脚部が弾性体で構成されていることを特徴とする請求項３に記載の眼内観察用レンズ保持装置。
【請求項５】
前記脚部は、この脚部の一部が上眼瞼及び下眼瞼に当接したときに前記レンズ支持部側に向かって変形する曲線部を有することを特徴とする請求項３に記載の眼内観察用レンズ保持装置。
【請求項６】
前記脚部の少なくとも一部が超弾性合金材料で構成されていることを特徴とする請求項４又は５に記載の眼内観察用レンズ保持装置。
【請求項７】
前記脚部が超弾性合金材料で形成された芯材に弾性材料の線材を巻きつけて覆ったものであることを特徴とする請求項６に記載の眼内観察用レンズ保持装置。
【請求項８】
眼科手術の際に眼内を観察するために用いられる眼内観察用レンズ装置であって、
眼球上に配置されて眼内を観察するためのレンズ部と、
前記レンズ部に取り付けられた脚部であってその一部を上眼瞼及び下眼瞼に当接させて前記レンズ部を眼球上に配置させる脚部とを有することを特徴とする眼内観察用レンズ装置。
【発明の詳細な説明】
【技術分野】
【０００１】
本願発明は、眼科手術の際に眼内を観察するために用いられる眼内観察用レンズ装置及び眼内観察用レンズを眼球上に保持するための眼内観察用レンズ保持装置に関する。
【背景技術】
【０００２】
人体眼球内の網膜及び硝子体疾患の治療のために行う手術においては、手術中に眼内について良好な視野を確保することが必要である。そのため、手術者は仰向けに寝かせた患者の眼球上に眼内観察用レンズを保持し、手術用顕微鏡を介して眼球の眼底像を観察しながら処置を行う。この眼内観察用レンズ（「硝子体手術用コンタクトレンズ」ともいう）は、眼球上に載置されるが、レンズ単体で載置して手術を行うと、レンズが不安定となる。そのため、従来は、眼内観察用レンズを固定するための固定用リングが用いられることが多かった。
【０００３】
この固定用リングは、止血しながら時間をかけて結膜を剥いて露出した強膜上に縫着される。しかしながら、針により強膜を穿孔するため、少なからず眼球に侵襲を与えることとなる。そのため、穿孔部より出血が生じて術野に影響を与えたり、術後、穿孔部を起因とする炎症や後遺症が生じることが考えられる。また、縫着には、高分子材料を主体とした糸が用いられることが多いが、個体差によりアレルギー反応を生じる場合もある。
【０００４】
これらの問題を解決するために、従来から特許文献１や特許文献２に記載された試みが等行われている。特許文献１記載の発明は、上眼瞼と下眼瞼を牽引する開瞼器に設けられた一対のフックと、固定用リングに設置されたフックとの間に紐状体の連結体を引っ掛け、固定用リングを係止するものである。これにより、強膜や眼球に侵襲を与えることなく固定用リングを眼球上に固定することを可能にしている。
【０００５】
特許文献２に記載の発明は、網膜硝子体手術用レンズ（眼内観察用レンズ）を眼球上に固定する手段として、レンズ縁部のフランジが、レンズ縁部領域の周囲において該縁部領域を保持して患者の眼の強膜領域の上に放射状に伸長するものである。フランジの後部表面は、平均的な強膜のカーブに適合することにより、フランジを強膜上にとどまらせて、患者の角膜上でのコンタクトレンズの位置を安定させることができる。さらに、フランジの後部側で真空吸引し、コンタクトレンズの位置を安定させることができる。さらには、強膜領域の上に放射状に伸長したフランジによりレンズを巻き取り、かつ保持することにより、コンタクトレンズの位置を安定させることができるものである。
【０００６】
【特許文献１】W02003/000１60
【特許文献２】特表200１-52006
【発明の開示】
【発明が解決しようとする課題】
【０００７】
特許文献１記載の発明は、上眼瞼と下眼瞼を牽引する開瞼器に設けられた一対のフックと、固定用リングに設置されたフックとの間に紐状体の連結体を引っ掛け、固定用リングを係止するものであるが、装置を構成する部品数が多いため、不慣れな術者によっては、セットに時間をとられる恐れがある。
【０００８】
特許文献２記載の発明は、レンズ縁部のフランジがレンズ縁部領域の周囲において該縁部領域を保持して患者の眼の強膜領域の上に放射状に伸長させ、フランジ後部表面を平均的な強膜に適合させ、あるいは、フランジ後部表面を真空吸引、あるいはフランジによりレンズを巻き取り、かつ保持することにより、コンタクトレンズの位置を安定させることができるものであるが、以下の問題がある。
【０００９】
（１）フランジ後部表面は、あくまでも平均的な強膜に適合させて製造されるため、個々の患者に適合した形状付与は不可能であり、全ての患者に適合できるとは限らない。
（２）真空吸引により強固な固定が可能であるが、手術後のコンタクトレンズの剥離が困難となることが考えられ、剥離を行うことにより眼球を傷つける可能性がある。
（３）強膜上に載置されるため、フランジはある程度の薄さで製造されていることが必要となるが、眼球上に載置されてから巻き取る際、フランジ縁部を保持することが必要となるが、その際、眼球を傷つける可能性がある。また、巻き取ると当然それに伴う変形抵抗が生じるため、場合によりレンズの浮き上がりが生じる可能性がある。
【００１０】
本発明の課題は、（１）不慣れな術者にも簡単にセットできる眼内観察用レンズ装置及び眼内観察用レンズ保持装置を提供すること、（２）患者の個体差の影響を受けにくく、より多くの患者に適合できる眼内観察用レンズ装置及び眼内観察用レンズ保持装置を提供すること、（３）眼球を傷つける可能性の少ない眼内観察用レンズ装置及び眼内観察用レンズ保持装置を提供することにある。
【課題を解決するための手段】
【００１１】
上述の課題を解決するための手段として、第１の手段は、
眼科手術の際に眼内を観察するために用いられる眼内観察用レンズ装置であって、眼内を観察するためのレンズと、前記レンズを眼球上に保持するためのレンズ保持部とを有し、前記レンズ保持部は、前記レンズを眼球上で支えて支持するレンズ支持部と、このレンズ支持部に取り付けられた脚部であってその一部を上眼瞼及び下眼瞼に当接させて前記レンズ支持部を眼球上に配置させる脚部とを有することを特徴とする眼内観察用レンズ装置である。
第２の手段は、
前記レンズとレンズ保持部とが一体に形成されていることを特徴とする第１の手段にかかる眼内観察用レンズ装置である。
第３の手段は、
眼科手術の際に眼内を観察するために用いられる眼内観察用レンズを眼球上に保持するための眼内観察用レンズ保持装置であって、
前記レンズを眼球上で支えて支持するレンズ支持部と、このレンズ支持部に取り付けられた脚部であってその一部を上眼瞼及び下眼瞼に当接させて前記レンズ支持部を眼球上に配置させる脚部とを有することを特徴とする眼内観察用レンズ保持装置である。
第４の手段は、
前記脚部が弾性体で構成されていることを特徴とする第３の手段にかかる眼内観察用レンズ保持装置である。
第５の手段は、
前記脚部は、この脚部の一部が上眼瞼及び下眼瞼に当接したときに前記レンズ支持部側に向かって変形する曲線部を有することを特徴とする第３の手段にかかる眼内観察用レンズ保持装置である。
第６の手段は、
前記脚部の少なくとも一部が超弾性合金材料で構成されていることを特徴とする第４又は５の手段にかかる眼内観察用レンズ保持装置である。
第７の手段は、
前記脚部が超弾性合金材料で形成された芯材に弾性材料の線材を巻きつけて覆ったものであることを特徴とする第６の手段にかかる眼内観察用レンズ保持装置である。
第８の手段は、
眼科手術の際に眼内を観察するために用いられる眼内観察用レンズ装置であって、
眼球上に配置されて眼内を観察するためのレンズ部と、
前記レンズ部に取り付けられた脚部であってその一部を上眼瞼及び下眼瞼に当接させて前記レンズ部を眼球上に配置させる脚部とを有することを特徴とする眼内観察用レンズ装置である
【発明の効果】
【００１２】
第１の手段によれば、固定手段として複雑な機構を設けず、また部品点数も少ないため、だれにでも簡単にレンズを眼球上に固定でき、また眼組織を傷つける可能性も低い。脚部を上眼瞼と下眼瞼に当接させてレンズを保持させるため、角膜形状等の患者の個体差の影響を受けにくい。
第２の手段によれば、レンズと保持部が一体に成形されているため、眼球上へのセットに手間がかからない。
第３の手段によれば、第１の手段と同様の利点を確保しながら、さまざまな種類の単体レンズを保持できる眼内観察用レンズ保持装置が得られる。
第４の手段によれば、前記脚部が弾性体で構成されていることから、脚部の弾性力により、レンズを眼球上にしっかり固定することができる。
第５の手段によれば、前記脚部は、この脚部の一部が上眼瞼及び下眼瞼に当接したときに前記レンズ支持部側に向かって変形する曲線部を有するものであることから、レンズを眼球上に安定して固定することができる。
第６の手段によれば、前記脚部の少なくとも一部が超弾性合金材料で構成されていることから、上眼瞼と下眼瞼に過度のバネ力を与えることなく、レンズを眼球に安定してしっかりと固定することができる。
第７の手段によれば、脚部を超弾性合金材料で形成された芯材に弾性材料の線材を巻きつけて覆ったもので構成したことにより、上眼瞼及び下眼瞼に過度のバネ力を与えることなく当接させてレンズ支持部を眼球上に適切に配置させることができる。また、芯材のみで構成した場合に比較して、芯材に線材を巻きつけて構成したことにより、脚部表面に多数の滑らかな凹凸を形成でき、これにより、上眼瞼及び下眼瞼との接触面積を増やし、かつ密着性を高くして保持を確かなものとすることを可能にしている。
第８の手段によれば、脚部が直接レンズ部に取り付けられていることから、レンズを保持するための保持部等を設けることなく、非常に単純な構成をとりながらも、レンズを眼球上に安定して保持することを可能にする。
【発明を実施するための最良の形態】
【００１３】
(実施態様１)
図１は実施態様１にかかる眼内観察用レンズ装置を示す平面図、図２は図１のＩＩ-ＩＩ線断面図、図３は図１におけるＡ部拡大図、図４は図１におけるＢ部拡大図である。以下、これらの図面を参照にしながら実施態様１にかかる眼内観察用レンズ装置を説明する。なお、この実施態様において用いている眼内観察用レンズ保持装置は本願発明にかかる眼内観察用レンズ保持装置の実施態様でもあるので、以下の説明は、本願発明にかかる眼内観察用レンズ保持装置の実施態様の説明も兼ねるものである。
【００１４】
図１及び図２において、符号１は眼内観察用レンズ保持装置であり、符号２は眼内観察用レンズである。実施態様１にかかる眼内観察用レンズ装置１０は、眼内観察用レンズ保持装置１に眼内観察用レンズ２が保持されたものである。眼内観察用レンズ保持装置１は、眼内観察用レンズ２を眼球上において支持するリング状のレンズ支持部１１と、このレンズ支持部１１の外周部にその一端が固定された２本の脚部１１１及び１１２とから構成されている。
【００１５】
眼内観察用レンズ２は、角膜の曲率にあわせた凹曲面を持つ底面と、平坦な上面とを有する平面視円形をなすものである。その直径は１０〜１４ｍｍである。なお、用途によっては、上記上面が凸面のものや傾斜面のもの、あるいは、傾斜凸面のものが用いられる場合もある。レンズの材質として、光学ガラス等のガラス、もしくはプラスチック等がある。光学ガラスとしては、重ランタンフリントガラス、ランタンフリントガラス、重フリントガラス、ランタンクラウンガラス、重バリウムフリントガラス、バリウムフリントガラス、チタンフリントガラス、フリントガラス、軽フリントガラスなどのフリントガラス、ランタンクラウンガラス、重クラウンガラス、重りん酸クラウンガラス、軽バリウムフリントガラス、バリウムクラウンガラス、クラウンフリントガラス、クラウンガラス、ほうけい酸クラウンガラス、りん酸クラウンガラス、ふつりん酸クラウンガラスなどのクラウンガラス及び石英ガラス、サファイア、ルビー等が挙げられる。また、プラスチックとしては、ポリメチル（メタ）クリレートに代表されるポリアルキル（メタ）アクリレート及びその共重合体、ポリスチレン、ポリカーボネート、スチレンアクリロニトリル、CR-39、透明シリコーン等が挙げられる。
【００１６】
レンズ支持部１１は、丈の短い円筒状をなしたもので、その内周部１１ａは上下に同一の径の面となっている。また、その外周部は、その上部から下部にかけては小径部１１ｂとなっており、下部は、この小径部１１ｂよりわずかに径の大きいフランジ部１１ｃとなっている。この実施の形態においては、前記レンズ支持部１１の内径ｒ１は、１１．４ｍｍ、高さｄ４は２．５ｍｍ、小径部の外径ｒ２は、１２．２ｍｍ、フランジ部１１ｃの外径ｒ３は１３ｍｍ、高さｄ４は０．８ｍｍである。
【００１７】
図１におけるレンズ支持部１１の中心Ｏを通る直線Ｔと前記小径部１１ｂの下方の部位とが交わる２つの位置であって、前記中心Ｏに対して対称となる位置には、前記２つの脚部１１１及び１１２の一端がそれぞれ固定されている。脚部１１１は、前記固定された一端部から外方に向かうにしたがって円（半径５ｍｍ）の一部をなす曲線に沿って図の上方側に所定距離延長され、他端は開放端となっている。また、もう一方の脚部１１２は、前記脚部１１１に対して対称的に、前記固定された一端部から外方に向かうにしたがって円の一部をなす曲線に沿って図の下方側に所定距離延長され、他端は開放端となっている。前記脚部１１１と脚部１１２との図１に示される距離ｄ１は２０ｍｍ、先端部どうしの縦方向の距離ｄ２は１９．７６ｍｍ、横方向どうしの距離ｄ３は９．８８ｍｍ、レンズ支持部１１の高さｄ４(図２)は２．５ｍｍである。レンズ支持部１１を構成する材料としては、例えば、ステンレス鋼ＳＵＳ３０４を用いることができる。
【００１８】
脚部１１１は、図３に部分破断図で示したように、弾性材料の芯材１１１ａにステンレス細線等の弾性線材をコイル状にして巻きつけてなる被覆コイル１１１ｂによって前記芯線１１１ａの表面を覆ったものである。そして、先端部は、被覆コイル１１１ｂから芯材１１１ａがわずかに突出され、この突出された芯材１１１ａと被覆コイル１１１ｂの一部とを含む全体が樹脂等で覆われて球状に固められ、直径０．６ｍｍの球状部１１１ｃとされている。また、レンズ支持部１の小径部１１ｂに固定される基端部は、図４に部分破断図で示したように、被覆コイル１１１ｂから芯材１１１がわずかに突出され、その突出部が小径部１１ｂに形成された直径０．４ｍｍの貫通孔Ｈに嵌めこまれ、接着剤Ｓによって固着されている。なお、芯材１１１ａは、小径部１１ｂの内周面から内側に０．１ｍｍ程度突出させ、この突出部も接着剤Ｓによって覆うように構成されている。これにより強固な接着固定が可能になる。接着剤Ｓとしては、例えば、セメダイン株式会社から製造販売されているエポキシ樹脂５０％とポリチオール５０％とからなる接着剤を用いることができる。
【００１９】
芯材１１１ａは、線径が０．１５ｍｍの弾性線材で構成し、被覆コイル１１１ｂは、線径が０．０６５ｍｍの弾性線材をコイル外径０．３５ｍｍのコイル状に形成したものである。芯材１１１ａの材料としては、例えば、大同特殊鋼株式会社から製造販売されているＮｉ−Ｔｉ超弾性合金材料を用いることができる。このＮｉ−Ｔｉ超弾性合金材料は、所望の形状に拘束して５２０℃で２０分保持後、水冷することで、常温で超弾性の特性を示す材料である。ここで、超弾性とは、周知のように、材料に曲げ等の荷重を加えて増やしていったときに、荷重値が所定値になるまでは、通常の弾性材料と同様の変形をしていき、所定値にいたったときには、ほぼその所定値のまま荷重を増やすことなくどんどん変形していき、逆にその荷重をわずかに減らしていくと、ほぼその減らした値のままで形状が復帰していき、上記所定値の荷重になったときに通常の弾性体と同様の復帰をして元に戻るというものである。
【００２０】
また、被覆コイル１１１ｂの材料としては、例えば、日本精線株式会社から製造販売されているステンレス鋼ＳＵＳ３０４のステンレス細線を用いることができる。前記球状部１１１ｃは、例えば、セメダイン株式会社から製造販売されているアクリル変性シリコーン樹脂７０％と炭酸塩３０％とからなる樹脂材を用いることができる。この樹脂材は、硬化後も弾性的性質を有するので、組織に対してなじみやすくまた組織を傷つける虞をより軽減できる材料である。
【００２１】
図５は実施態様にかかる眼内観察用レンズ装置を眼球上に設置する場合の説明図であり、図６は眼内観察用レンズ装置１０を眼球上に設置した後の眼球の断面図であり、図７は眼内観察用レンズ装置１０が眼球上に配置される前と後との脚部１１１及び１１２の形状を示す図である。図５に示されるように、設置の際には、まず、周知の開瞼器６を用いて下瞼４及び上瞼５を開き、眼球上に眼内観察用レンズ装置を配置する。図６は、脚部１１１と１１２とがそれぞれ上下の瞼に当接され、脚部１１１及び１１２の弾性力が働いて眼球上にしっかりと配置された状態を示したものである。その場合、図７に示されるように、脚部１１１及び１１２は、眼内観察用レンズ装置１０が眼球上に配置される前には図７の（Ａ）の状態であったものが、配置後には図７の（Ｂ）のように変形する。
【００２２】
上述の実施態様１にかかる眼内観察用レンズ装置によれば、眼内観察用レンズ２と眼内観察用レンズ保持装置１とを別部材で構成したことにより、それぞれの機能を最大限発揮できるもので構成できるようにしている。また、脚部１１１及び１１２を、一端がレンズ支持部１１に固定され、前記固定された一端部から外方に向かうにしたがって円の一部をなす曲線に沿って図の上方側又は下方側に所定距離延長し、他端を開放端にする構成としたことにより、眼内観察用レンズ装置を非常に簡単な操作で眼球上に配置可能とし、しかも、装置の構成も非常に単純なものにできるという利点を得ている。
【００２３】
また、脚部１１１及び１１２の開放された脚部先端に球状部を設けていることから、セツト時に脚部先端が眼瞼と眼球の間に入りづらくなるとともに、先端で眼組織を傷つけることを防止することを可能にしている。また、脚部１１１及び１１２を、超弾性合金材料の芯材にステンレス細線等の弾性線材の被覆コイルで覆ったもので構成したことにより、以下の利点を得ている。
・  芯材に超弾性合金材料を用いたことにより、開瞼器６により瞼を開いたときの幅がばらついたとしても、瞼にかかる負荷を一定にすることができる。
（２）芯材を被覆コイルで覆ったことにより、芯材単独の場合に比較して組織への接触面積を大きくでき、また、凹凸形状を有することから、上下瞼への高い密着性を確保して脚部の保持機能を高くでき、同時に、脚部が組織を局所的に押圧することによる組織の損傷の虞を効果的に防止可能とする。
（３）芯材を被覆コイルで覆ったことにより、芯線の急激な変形を被覆コイルが和らげる作用をするので、脚部の急激な変形による組織への負担を軽減できる。
【００２４】
なお、上述の実施の形態に於いては、脚部１１１，１１２は、小径部１１ｂからほぼ垂直に外方に立ち上がっているが、これは、図８に脚部１１１ａ，１１２ａとして示したように、小径部１１ｂからその外周面のほぼ接線方向に立ち上がるようにしてもよい。また、図９に示したように、脚部１１１ｂ，１１２ｂとして示したように、小径部１１ｂからその外周面のほぼ接線方向に立ち上がり、さらに折り返して直線部を形成するようにしても良い。さらには、図１０に示したように、脚部１１１ｃ，１１２ｃとして示したように、脚部１１１ｃ，１１２ｃを閉曲線状をなしたいわゆるループ状に形成しても良い。要するに、前記脚部は、この脚部の一部が上眼瞼及び下眼瞼に当接したときに前記レンズ支持部側に向かって変形する曲線部を有するものであればよい。脚部がこの曲線部を有することによってレンズを眼球上に安定して保持することが可能となる。
【００２５】
さらに、支持部１の形状は、レンズを支持できる形状であればよく、方形や楕円形も考えられるが、円形が一般的である。支持部１の材質としては、ステンレス鋼、アルミニウム、チタン、鉄、銅、銀、金、白金、もしくは、これら金属を含んだ合金等の金属材料、又は、ポリメチルメタクリレート等のメタクリル樹脂、ポリカーボネート樹脂、ポリテトラフルオロエチレンなどのフッ素樹脂、ポリイミド樹脂、その他、多くの熱硬化性樹脂及び熱可塑性樹脂等のような樹脂材料を用いることができる。
【００２６】
また、脚部１１１，１１２の材料としては、生体適合性に優れ、弾性を備えている材料が好ましい。特に、曲げや歪を与えても元の形に復元、又は、熱を加えることで元の形に復元する材料がより好ましい。例として、形状記憶材料等があげられる。
【００２７】
また、支持部１と眼内観察用レンズとを別体のもので構成する例を掲げたが、これら両者を接着剤その他の固定手段で固定したもので構成してもよい。これによれば、眼球上での支持部とレンズとの組み立て操作を省くこともできるので、セットに手間がかからないという利点が得られる。
【００２８】
(実施態様２)
図１１は実施態様２にかかる眼内観察用レンズ装置を示す斜視図である。図１１に示されるように、この実施態様は、眼内観察用レンズ２００の外周側面部に、脚部１０１及び１０２を直接設けたものである。眼内観察用レンズ２００は、上述の実施態様１に於ける眼内観察用レンズ２と同様の構成をしているので、その詳細説明は省略する。また、脚部１０１，１０２は、その取付部位及び材料が上述の実施態様１の場合と異なるが、その形状や主たる機能は、実施態様１の場合と同様である。
【００２９】
すなわち、本実施態様においては、脚部１０１，１０２は、その一端が眼内観察用レンズ２００の側面２０１に直接取り付けられている。図示しないが、この取り付けは、眼内観察用レンズ２００の側面２０１に取付用孔を開け、この孔に脚部の一端部を挿入し、接着剤等で固着する方法等で行われる。また、脚部１０１，１０２の材料としては、上述の実施態様１に於ける脚部と同様のものを用いることができる。なお、上記例では、脚部１０１，１０２の材料と、眼内観察用レンズ２００の材料とが異なる場合を例に掲げたが、これは両者を同一の材料で構成してもよい。
【産業上の利用可能性】
【００３０】
本発明にかかる眼内観察用レンズ装置は、眼科手術の際に、眼球上に配置して眼内を観察する装置として用いることができ、また、本発明にかかる眼内観察用レンズ保持装置は、眼科手術の際に、眼球上に配置して眼内を観察する眼内観察用レンズを眼球上で保持する装置として利用することができる。
【図面の簡単な説明】
【００３１】
【図１】実施態様１にかかる眼内観察用レンズ装置を示す平面図である。
【図２】図１のＩＩ-ＩＩ線断面図である。
【図３】図１におけるＡ部拡大図である。
【図４】図１におけるＢ部拡大図である。
【図５】実施態様１にかかる眼内観察用レンズ装置を眼球上に設置する場合の説明図である。
【図６】眼内観察用レンズ装置１０を眼球上に設置した後の眼球の断面図である。
【図７】眼内観察用レンズ装置１０が眼球上に配置される前と後との脚部１１１及び１１２の形状を示す図であって図（Ａ）が眼球上に配置される前の形状で図（Ｂ）が配置された後の形状である。
【図８】実施態様１の変形例にかかる眼内観察用レンズ装置が眼球上に配置される前と後との脚部１１１ａ及び１１２ａの形状を示す図であって図（Ａ）が眼球上に配置される前の形状で図（Ｂ）が配置された後の形状である。
【図９】実施態様１の他の変形例にかかる眼内観察用レンズ装置が眼球上に配置される前と後との脚部１１１ｂ及び１１２ｂの形状を示す図であって図（Ａ）が眼球上に配置される前の形状で図（Ｂ）が配置された後の形状である。
【図１０】実施態様１のさらに他の変形例にかかる眼内観察用レンズ装置が眼球上に配置される前と後との脚部１１１ｃ及び１１２ｃの形状を示す図であって図（Ａ）が眼球上に配置される前の形状で図（Ｂ）が配置された後の形状である。
【図１１】実施態様２にかかる眼内観察用レンズ装置を示す斜視図である。
【符号の説明】
【００３２】
１  眼内観察用レンズ保持装置
２  眼内観察用レンズ
１０  眼内観察用レンズ装置
１１  レンズ支持部１１
１１ａ  内周部
１１ｂ  小径部
１１ｃ  フランジ部
１１１，１１２  脚部
【図１】
2008086508.tif 000003
【図２】
2008086508.tif 000004
【図３】
2008086508.tif 000005
【図４】
2008086508.tif 000006
【図５】
2008086508.tif 000007
【図６】
2008086508.tif 000008
【図７】
2008086508.tif 000009
【図８】
2008086508.tif 000010
【図９】
2008086508.tif 000011
【図１０】
2008086508.tif 000012
【図１１】
2008086508.tif 000013